(57)【要約】【課題】様々なレイアウトに対応できる実用的な連結机を得る。【解決手段】複数の天板１，・・・と、２本の脚柱２ａとこれら脚柱間に架設した横架ビーム２ｂとからなる、少なくとも３個の、共通使用可能な門脚２，・・・と、天板１，・・・を支持する天板支持部材３，・・・を備え、天板支持部材３，・・・を横架ビーム２ｂ，・・・に取り付けた。また、天板１，・・・の連結部に１個の共通使用可能な門脚２を配設し、該門脚２の横架ビーム２ｂの長手方向の左右両側に取り付けた天板支持部材３，・・・各々により、前記連結部の天板１，・・・を支持した。簡素な構成で様々なレイアウトに対応できる。また、天板を支持する門脚の数を減らすことができる。【選択図】        図２
2004261309.tif 000002
【特許請求の範囲】
【請求項１】
複数の天板と、
少なくとも３個の、共通使用可能な脚体とを備え、
前記脚体の中の１個の脚体を前記複数の天板の連結部にまたがって配設してなる連結机。
【請求項２】
複数の天板と、
２本の脚柱とこれら脚柱間に架設した横架ビームとからなる、少なくとも３個の、共通使用可能な脚体とを備えた連結机。
【請求項３】
天板を支持する天板支持部材を備え、この天板支持部材を横架ビームに取り付けてなる請求項２記載の連結机。
【請求項４】
天板の連結部に１個の共通使用可能な脚体を配設し、該脚体の横架ビームの長手方向の左右両側に取り付けた天板支持部材各々により、前記連結部の天板を支持してなる請求項３記載の連結机。
【請求項５】
前後に配設した天板を左右に並設し、これら前後左右の天板の連結部に１個の共通使用可能な脚体を配設し、該脚体の横架ビームの長手方向の左右両側に２個ずつ配設した４個の支持部材各々により、前記前後左右の４枚の天板を支持してなる請求項３又は４記載の連結机。
【請求項６】
横架ビームと脚柱とからなる脚体同士を連結する連結ビームを備え、この連結ビームの支持部を天板支持部材に設けてなる請求項３〜５のいずれかに記載の連結机。
【請求項７】
共通使用可能な脚体が同一形状である請求項１〜６のいずれかに記載の連結机。
【発明の詳細な説明】
【０００１】
【発明の属する技術分野】
本発明は、例えば前後左右等に天板を連結して使用する連結机に関わり、更に詳しくは、簡素な構成で様々なレイアウトに対応できる実用的な連結机に関するものである。
【０００２】
【従来の技術】
従来の連結机として、天板の下方の空間スペースの有効利用を目的とし、前後２列にかつ左右に複数枚を並設した天板を有する机であって、前記前後２列を区画すると共に前記天板の幅寸法と略等しい幅寸法の鉛直状中間フレームを、左右方向に沿って配設すると共に、少なくとも下端に前後方向に突出する突出部を有する端部脚体を、左右の端部の中間フレームの外方の鉛直方向側辺部に取り付け、さらに、倒立Ｌ字状脚体の水平方向部材が前後方向に沿って配設されるように、前記倒立Ｌ字状脚体の鉛直方向部材を、相隣位する中間フレームの対向する鉛直方向側辺部に取り付けて、机前後方向中間部に配設される鉛直状中間柱部を形成し、かつ、前記中間柱部の下面に、前記中間柱部の前後方向幅内に収まるアジャスタを付設したもの（特許文献１参照）、増設自在かつ前後の隙間に配線用隙間を形成できること等を目的とし、垂直の脚杆の上端に、それぞれ前後方向を向く水平アームを設けて固着してなる前後の中間脚を、脚杆同士の間に間隔を設けて立設し、これら中間脚の左右の側面に、前面が開口する前部溝材と、後面が開口する後部溝材とを間隔材をもって互いに連結するとともに、前後の溝材上面に、側面視上向きコ字形断面をなす横長方向の棚板を架設して固着してなる下部連結枠と、前面が開口する前部溝材と、後面が開口する後部溝材とを、間隔材をもって互いに固着してなる上部連結枠の側端面を、それぞれ当接させ、連結具をもって、前記中間脚と前記上下の連結枠の側端面とを連結し、かつ、左右の端部にある連結枠の他方の側端面に、間隔をへだてて前後に並ぶエンド脚を当接して、連結具で連結し、さらに前記中間脚及びエンド脚の上面間に、天板を載置し、この際、中間脚の上面により、左右に並ぶ２枚の天板の側辺部同士を、共通して支持させたもの（特許文献２参照）がある。
【０００３】
また、従来の連結机として、天板を支持する、複数の枠材から構成される枠体を変更することなく天板面の拡張及び異なる天板形状に対応することを目的とし、天板を支持する枠体が、複数の枠材（例えば側枠材、後枠材及び補強枠材）から構成されるものにおいて、これらの枠材に、長手方向に沿って連続的に取付部であるレール溝を形成し、これらのレール溝の長手方向所要箇所を選択して、オプションや天板等の部材を取り付けるための部材取付具を保持させ得るように構成したもの（特許文献３参照）がある。
【０００４】
【特許文献１】
実開平５−６０３２６号公報（第２頁、図１−３）
【特許文献２】
実公平６−２８０２３号公報（第２頁、第１−２図）
【特許文献３】
特開２０００−１２４号公報（第５−６頁、図１５−２０）
【０００５】
【発明が解決しようとする課題】
以上のような従来の連結机において、特許文献１及び２の構成は、前後２列の構成に限定され、様々なレイアウトに対応できないという問題点があった。また、端脚と中間脚とが共用できないと共に構造が複雑であり、コスト及び信頼性、並びに、天板の追加及び取り外し時の対応性等の面から実用的でないという問題点があった。
【０００６】
また、特許文献３の構成は、複数の枠材から構成される枠体を変更することなく、天板を支持する枠体全体を共通使用するものであり、連結机を構成するにあたっての自由度が低いという問題点があった。また、前後左右等に天板を連結して使用する場合において、枠材及び脚支柱が重複するため、コストが上昇するという問題点があった。さらに、天板の追加及び取り外し時の対応性等の面から実用的でないという問題点があった。
【０００７】
本発明は、前記のような問題点を解決するためになされたものであり、簡素な構成で様々なレイアウトに対応できる実用的な連結机を得ることを目的とする。
【０００８】
【課題を解決するための手段】
本発明に係る連結机は、複数の天板と、少なくとも３個の、共通使用可能な脚体とを備え、前記脚体の中の１個の脚体を前記複数の天板の連結部にまたがって配設してなるものである。
【０００９】
また、本発明に係る連結机は、複数の天板と、２本の脚柱とこれら脚柱間に架設した横架ビームとからなる、少なくとも３個の、共通使用可能な脚体とを備えたものである。
【００１０】
ここで、天板を支持する天板支持部材を備え、この天板支持部材を横架ビームに取り付けると好ましい。
【００１１】
また、天板の連結部に１個の共通使用可能な脚体を配設し、該脚体の横架ビームの長手方向の左右両側に取り付けた天板支持部材各々により、前記連結部の天板を支持すると好ましい。
【００１２】
さらに、前後に配設した天板を左右に並設し、これら前後左右の天板の連結部に１個の共通使用可能な脚体を配設し、該脚体の横架ビームの長手方向の左右両側に２個ずつ配設した４個の支持部材各々により、前記前後左右の４枚の天板を支持すると好ましい。
【００１３】
さらにまた、横架ビームと脚柱とからなる脚体同士を連結する連結ビームを備え、この連結ビームの支持部を天板支持部材に設けると好ましい。
【００１４】
また、共通使用可能な脚体が同一形状であると好ましい。
【００１５】
【発明の実施の形態】
次に本発明の実施の形態を添付図面に基づき詳細に説明する。図１及び図２は、本発明の実施の形態に係る連結机の構成例を示す斜視図及び平面図であり、前後に配設した天板を左右に並設して構成した対面フリーアドレス型レイアウトを示している。
【００１６】
図１及び図２において、１は天板、２は脚柱２ａ，２ａとこれら脚柱間に架設した横架ビーム２ｂとからなる脚体、３は天板１を支持する天板支持部材、４は脚体２同士を連結及び大型天板の強度を保持するための連結ビーム、１０１は机上パネル、１０２はダクトカバーである。脚体２，・・・は各々の配置位置に拘らず共通使用可能であり、例えば同一形状に形成されている。
【００１７】
図３は脚体２及び天板支持部材３の説明図であり、図３（ａ）は正面図、図３（ｂ）は右側面図である。図３において、図１及び図２と同一符号は同一又は相当部分を示しており、８は天板支持部材３を横架ビームに対して横架ビーム２ｂの長手方向（図３中の矢印Ａ方向）に位置決めする位置決めプレート、８ａ，・・・は位置決めプレート８に形成された位置決め手段である複数の抜き穴である。
【００１８】
脚体２は、脚柱２ａ，２ａ間に横架ビーム２ｂを架設して図示しないネジ等の固定手段により連結されて形成されるが、図３のように脚柱２ａ，２ａ間の上部に１本の横架ビーム２ｂを架設する形態の他、脚柱２ａ，２ａ間の適宜位置に複数の横架ビーム２ｂ，・・・を架設してもよい。
【００１９】
図４は脚体２の横架ビーム２ｂと天板支持部材３との取り付け方法の例を示す断面図であり、図において、３ａは天板受けブロック、３ｂは固定ブロック、５ａは天板受けブロック３ａの鉤状係合片、５ｂは固定ブロック３ｂの鉤状係合片、６ａは横架ビーム２ｂの上部水平溝、６ｂは横架ビーム２ｂの下部水平溝、７ａは横架ビーム２ｂの上部水平溝６ａの下部に形成された下向き溝、７ｂは横架ビーム２ｂの下部水平溝６ｂの上部に形成された上向き溝、８は位置決めプレート、８ａは抜き穴、９は天板受けブロック３ａと固定ブロック３ｂを固定するボルトである。
【００２０】
図４に示すように、天板支持部材３は天板受けブロック３ａ及び固定ブロック３ｂにより構成されており、天板受けブロック３ａの鉤状係合片５ａは横架ビーム２ｂの上部水平溝６ａと係合し、固定ブロック３ｂの鉤状係合片５ｂは横架ビーム２ｂの下部水平溝６ｂと係合する。天板受けブロック３ａ及び固定ブロック３ｂはボルト９により固定され、天板支持部材３は脚体２の横架ビーム２ｂに取り付けられる。図４では、ボルト９を天板受けブロック３ａ側から挿入して、天板受けブロック３ａ及び固定ブロック３ｂを固定する場合を示しているが、ボルト９を固定ブロック３ｂ側から挿入して前記固定を行う構造を採用することもできる。このようにして、天板支持部材３は、横架ビーム２ｂの長手方向（図３中の矢印Ａ方向）に移動可能なように、横架ビーム２ｂにより支持される。
【００２１】
また、前記のような天板受けブロック３ａ及び固定ブロック３ｂによる天板支持部材３の構成により、脚柱２ａ，２ａ間に横架ビーム２ｂを架設して脚体２が形成された後においても、天板支持部材３の横架ビーム２ｂへの取り付け又は取り外しを自由に行うことができる。さらに、図４の横架ビーム２ｂの断面形状からわかるように、天板支持部材３は横架ビーム２ｂの長手方向の両側面、すなわち脚体２の両側に取り付けることができる。ただし、横架ビーム２ｂは、図４の断面形状のように、その両側面に上部水平溝６ａ及び下部水平溝６ｂを形成する構成に限定されず、側面のいずれか一方のみに上部水平溝６ａ及び下部水平溝６ｂを形成して、天板支持部材３を取り付けてもよい。また、図４の横架ビーム２ｂの断面形状からわかるように、横架ビーム２ｂの上下面が上部水平溝６ａ及び下部水平溝６ｂの上下部を覆っており、上部水平溝６ａ及び下部水平溝６ｂの全体が露出しないため、美観を向上できる構造となっている。
【００２２】
また、脚柱２ａ，２ａ間の適宜位置に架設された横架ビーム２ｂには、横架ビーム２ｂの上部水平溝６ａ及び下部水平溝６ｂに、鉤状係合片を有する受けブロック３ａ及び固定ブロック３ｂにより構成される天板支持部材３のみならず、棚又は机上パネル、電話台、載置台及びダストボックス等のオプション類等を支持するための、鉤状係合片を有する受けブロック及び固定ブロックにより構成される支持部材を係合させることもできる。
【００２３】
位置決めプレート８は、横架ビーム２ｂに形成された下向き溝７ａと上向き溝７ｂ間に配設される。位置決めプレート８は、脚体２を形成する前に横架ビーム２ｂに予め取り付けておくか、あるいは、位置決めプレート８を可撓性のある材料で形成した場合は脚体２の形成後においても取り付けることができる。また、図４からわかるように、位置決めプレート８は前記の天板支持部材３の横架ビーム２ｂの長手方向への移動と干渉しない構成となっている。
【００２４】
位置決めプレート８には抜き穴８ａ，・・・が明けられているため、天板支持部材３を横架ビーム２ｂに対して横架ビーム２ｂの長手方向（図３中の矢印Ａ方向）に位置決めすることができる。したがって、組立又はレイアウト変更等における作業性を向上することができる。なお、位置決めプレート８には、抜き穴８ａ，・・・以外にも、切り欠き、線条、突出部等の他の位置決め手段を形成することができる。さらに、横架ビーム２ｂに形成された下向き溝７ａと上向き溝７ｂ間には、意匠性を考慮して飾り板を配設することもでき、このような飾り板に天板支持部材３を横架ビーム２ｂの長手方向に位置決めする機能を付加してもよい。例えば、飾り板に、塗装、メッキ及び樹脂顔料等による色の変更、金属、樹脂、木、紙及び布等による材料の変更、並びに、抜き穴、段差、彫刻及び木目加工等による模様の変更等を適宜行い、意匠性及び位置決め機能の付与を両立させることができる。
【００２５】
また、横架ビーム２ｂの上部水平溝６ａ及び下部水平溝６ｂに、棚又は机上パネル、電話台、載置台及びダストボックス等のオプション類等を支持するための支持部材を係合させた場合は、該支持部材と横架ビーム２ｂとの該横架ビーム２ｂの長手方向の位置決めを位置決めプレート８により行うことができる。
【００２６】
図５は、天板受けブロック３ａの例を示す斜視図であり、１０ａは連結ビーム支持部である。連結ビーム４は、その端部を天板受けブロック３ａの連結ビーム支持部１０ａに外嵌した後に螺着される。図５の構造の天板受けブロック３ａを使用した場合は、天板受けブロック３ａの連結ビーム支持部１０ａに連結ビーム４との嵌合部が形成されており、この嵌合部がモーメントを受け持つため、嵌合部がない場合と比較して、脚体２同士の連結ビーム４による連結強度及び剛性が向上する。
【００２７】
また、図６は、天板受けブロック３ａの別の例を示す斜視図であり、１０ｂは連結ビーム支持部である。連結ビーム４は、その端部を連結ビーム支持部１０ｂに載置した後に螺着される。図６の構造の天板受けブロック３ａを使用した場合は、この天板受けブロック３ａの連結ビーム支持部１０ｂにより、連結ビーム４の端部以外も支持できるため、天板支持部材３により連結ビーム４を該連結ビーム４の長手方向に移動可能に支持することができ、天板１と脚体２との相対位置を連結ビーム４の長手方向に簡単に変更することができる。したがって、天板１，・・・と脚体２，・・・との配置の自由度を向上することができる。
【００２８】
図５及び図６のような天板受けブロック３ａを使用して天板支持部材３を構成することにより、天板１の支持及び連結ビーム４の支持を同一の天板支持部材３で行うことができるため、連結机の構成部品点数を削減することができ、連結机の構成をより簡素なものとすることができる。
【００２９】
図７は、脚体２，２の脚柱２ａ，２ａ同士を連結する方法の例を示す説明図であり、１１ａ、１１ｂは連結部材、１１ｃは連結部材１１ａ及び１１ｂを固定するボルト、１２，１２は脚柱２ａの連結部材係合部である。脚柱２ａ，２ａを当接し、連結部材１１ａ及び１１ｂを脚柱２ａ，２ａの連結部材係合部１２，１２にそれぞれ挿入して、ボルト１１ｃにより螺着することにより、脚柱２ａ，２ａ同士を簡単に連結して固定することができる。このような脚柱２ａ，２ａ同士の連結は、例えば、図２のレイアウトのＢ部及びＣ部で使用され、連結机全体の強度及び剛性を向上することができる。
【００３０】
図８は、図２の対面フリーアドレス型レイアウトを構成する本発明の連結机の右側面図を示したものである。前記のとおり、天板支持部材３は横架ビーム２ｂの長手方向に移動可能に構成されているため、脚体２に対して天板１の位置を横架ビーム２ｂの長手方向（図８中の矢印Ａ方向）に簡単に移動させることができる。図２及び図８の対面フリーアドレス型レイアウトにおいて、対向する天板１，１の間は間隙が設けられ（図８のＤ）、この天板１，１間にＬＡＮ等の通信ケーブル、電源等の配線、配線用ダクト及びコンセント等を配設できると共に、対面する机間で容易に配線等を受け渡すことができる。また、図９のように机上パネル１０１を立設することができ、さらに、モニターアーム又は電話台等のオプション部材を適宜配設することができる。さらにまた、ダクトカバー１０２，１０２を設けることにより、配線類を保護することができると共に連結机全体の美観を向上することができる。
【００３１】
次に、以上のような連結机の構成要素を使用してなる図２の対面フリーアドレス型レイアウトの特徴について説明する。
【００３２】
図２においては、天板１，・・・４枚に対して、同一形状の脚体２，・・・５個を使用しており、連結机の左右端に脚体２，２を配設すると共に、連結机の中央部の前後左右の天板１，・・・の連結部にまたがって１個の脚体２を配設し、該１個の脚体２の横架ビーム２ｂの左右に２個ずつ配設した４個の天板支持部材３，・・・各々により前記前後左右の４枚の天板１，・・・を支持している。このように、前後左右の天板１，・・・の連結部にまたがって配設した１個の脚体２により天板１，・・・４枚を支持すると共に、共通の脚体２，・・・を使用することにより、簡素な構成で、前後に配設した天板を左右に並設して構成した対面フリーアドレス型レイアウトを実現することができる。また、左右に並設する机の数を増やした場合においても、連結机の前後左右の天板１，・・・の連結部に１個の脚体２を配設する同様の構成を採用することができる。
【００３３】
図１０は、図２と同様の対面フリーアドレス型レイアウトの連結机の別の構成例を示す平面図であり、図２の連結ビーム４，・・・を使用しない構成を示している。このように、連結ビーム４を使用しない場合は、天板１の適宜位置に設けた埋め込みナット等に、天板支持部材３をボルト等により取り付ける。要求仕様によっては、このような連結ビーム４，・・・を使用しない構成を採用することができ、このような構成によれば、さらに簡素な構成で対面フリーアドレス型レイアウトを実現することができる。
【００３４】
図１１は、本発明の実施の形態に係る連結机の構成例を示す平面図であり、天板を左右に並設して構成した片面フリーアドレス型レイアウトを示している。天板１，１に対して、同一形状の脚体２，・・・３個を使用しており、左右の天板１，１の連結部に１個の脚体２を配設し、該脚体２の横架ビーム２ｂの左右に配設した天板支持部材３，３により、左右の天板１，１を支持している。左右の天板１，１の連結部に配設した１個の脚体２により天板２枚を支持すると共に、共通の脚体２，・・・を使用することにより、簡素な構成で片面フリーアドレス型レイアウトを実現することができる。
【００３５】
図１２は、本発明の実施の形態に係る連結机の構成例を示す平面図であり、天板４枚による対面Ｌ型レイアウトを示している。天板１，・・・４枚に対して、同一形状の脚体２，・・・６個を使用しており、前記レイアウトと同様に、天板の連結部に１個の脚体２を配設し、該脚体２の横架ビーム２ｂの左右に配設した天板支持部材３，３により、前記連結部における複数の天板１，・・・を支持している。天板１，・・・の連結部に配設した１個の脚体２により天板１，・・・を支持すると共に、共通の脚体２，・・・を使用することにより、簡素な構成で対面Ｌ型レイアウトを実現することができる。
【００３６】
図１３は、本発明の実施の形態に係る連結机の構成例を示す平面図であり、天板１，１を前後に並設して構成したレイアウトを示している。また、天板支持部材３の天板受けブロック３ａとして、連結ビーム支持部１０ｂに連結ビーム４を載置して固定する、図６の構成の天板受けブロック３ａを使用した場合の例を示している。右側の脚体２，２を、図中矢印Ｅのように連結ビーム４，４及び天板１，１に対してスライドさせて配置することにより、図中Ｆ方向からのアクセスに対して右側の脚体２，２の支脚２ａ，・・・が邪魔にならないように構成したものである。
【００３７】
以上のとおり、本発明によれば、共通使用可能な脚体２，・・・及び脚体２，・・・によって支持される複数の天板１，・・・等からなる部品点数を抑えた簡素な構成により所望のレイアウトの連結机を構成するため、コストを削減できると共に、組立及びレイアウト変更を容易に行うことができる自由度の高い連結机の構成を得ることができる。
【００３８】
以上の説明においては、天板支持部材３により天板１を直接支持する場合を示したが、本発明はこのような構成に限定されるものではなく、天板１と天板支持部材３間にガイドレールを介在させる等、天板支持部材３により天板１を間接支持する構成を採用してもよい。
【００３９】
なお、本明細書における「机」には、いわゆるテーブルの概念も含むものである。
【００４０】
【発明の効果】
この発明に係る連結机は、以上説明したように構成されているので、以下に示すような効果を奏する。
【００４１】
請求項１に係る発明によれば、複数の天板と、少なくとも３個の、共通使用可能な脚体とを備え、前記脚体の中の１個の脚体を前記複数の天板の連結部にまたがって配設してなるので、簡素な構成で様々なレイアウトに対応できる実用的な連結机を得ることができると共に脚体の数を減らすことができる。
【００４２】
請求項２及び請求項３に係る発明によれば、複数の天板と、２本の脚柱とこれら脚柱間に架設した横架ビームとからなる、少なくとも３個の、共通使用可能な脚体等により連結机を構成するので、簡素な構成で様々なレイアウトに対応できる実用的な連結机を得ることができる。
【００４３】
また、請求項４及び請求項５に係る発明によれば、天板の連結部を支持する脚体を１個のみとすることができるので、脚体の数を減らすことができる。
【００４４】
さらに、請求項６に係る発明によれば、連結ビームの支持部を天板支持部材に設けたので、連結ビームにより連結机の連結強度及び剛性が向上すると共に、天板及び連結ビームの支持を同一の天板支持部材で行うことができるため、連結机の構成部品点数を削減することができる。
【００４５】
さらにまた、請求項７に係る発明によれば、共通使用可能な脚体を同一形状としたので、各々の配置位置に拘らず共通使用可能であり、組立性及びレイアウト変更への対応性を向上することができる。
【図面の簡単な説明】
【図１】本発明の実施の形態に係る連結机の構成例を示す斜視図である。
【図２】本発明の実施の形態に係る連結机の構成例を示す平面図である。
【図３】脚体及び天板支持部材の構成を示す説明図である。
【図４】横架ビームと天板支持部材との取り付け方法の例を示す断面図である。
【図５】天板受けブロックの例を示す斜視図である。
【図６】天板受けブロックの別の例を示す斜視図である。
【図７】脚体の脚柱同士を連結する方法の例を示す説明図である。
【図８】本発明の実施の形態に係る連結机の右側面図である。
【図９】本発明の実施の形態に係る連結机の右側面拡大図である。
【図１０】本発明の実施の形態に係る連結机の構成例を示す平面図である。
【図１１】本発明の実施の形態に係る連結机の構成例を示す平面図である。
【図１２】本発明の実施の形態に係る連結机の構成例を示す平面図である。
【図１３】本発明の実施の形態に係る連結机の構成例を示す平面図である。
【符号の説明】
１  天板
２  脚体
２ａ  脚柱
２ｂ  横架ビーム
３  天板支持部材
３ａ  天板受けブロック
３ｂ  固定ブロック
４  連結ビーム
５ａ  天板受けブロック３ａの鉤状係合片
５ｂ  固定ブロック３ｂの鉤状係合片
６ａ  横架ビーム２ｂの上部水平溝
６ｂ  横架ビーム２ｂの下部水平溝
７ａ  横架ビーム２ｂの上部水平溝６ａの下部に形成された下向き溝
７ｂ  横架ビーム２ｂの下部水平溝６ｂの上部に形成された上向き溝
８  位置決めプレート
８ａ  抜き穴
１０ａ，１０ｂ  天板受けブロック３ａの連結ビーム支持部
【図１】
2004261309.tif 000003
【図２】
2004261309.tif 000004
【図３】
2004261309.tif 000005
【図４】
2004261309.tif 000006
【図５】
2004261309.tif 000007
【図６】
2004261309.tif 000008
【図７】
2004261309.tif 000009
【図８】
2004261309.tif 000010
【図９】
2004261309.tif 000011
【図１０】
2004261309.tif 000012
【図１１】
2004261309.tif 000013
【図１２】
2004261309.tif 000014
【図１３】
2004261309.tif 000015